(57)【要約】【課題】高精度でかつ高成形効率を図って成形された筐体により大型表示を可能とするディスプレィパネルを収納保持する。【解決手段】第１の半割筐体５Ａと第２の半割筐体５Ｂとに分割された筐体５が、成形条件が緩和され高精度で効率よくかつコスト低減を図って成形される。第１の半割筐体５Ａと第２の半割筐体５Ｂとをジョイント部材１２を介して組み合わせて、それらの突合せ部位の表面側に設けられた端子嵌合凹部４８、４９に表示パネル体４とスピーカボックス３とを接続する接続端子部材３９、４０を嵌合することにより、突き合わせ部位を目隠しする。【選択図】  図４
2004361665.tif 000002
【特許請求の範囲】
【請求項１】
表示パネル体を収納保持してなる樹脂製筐体の左右両側面部にスピーカボックスを組み合わせてなるパネル型表示装置において、
上記筐体を、第１の半割筐体と第２の半割筐体とに分割して成形されるとともに、これら第１の半割筐体と第２の半割筐体とをジョイント部材を介して組み合わせてなり、
上記ジョイント部材と上記第１の半割筐体との突合せ部位及び上記ジョイント部材と上記第２の半割筐体との突合せ部位の表面側に端子嵌合凹部を設け、この端子嵌合凹部内に上記表示パネル体と上記スピーカボックスとを接続する接続端子部材を嵌合して設けたことを特徴とするパネル型表示装置。
【請求項２】
上記第１の半割筐体と第２の半割筐体及び上記ジョイント部材とが、それぞれ同一素材の透明な合成樹脂材によって成形されることを特徴とする請求項１に記載のパネル型表示装置。
【請求項３】
上記第１の半割筐体と第２の半割筐体及び上記ジョイント部材とが、組み合わせた状態で内部に表示パネル体を収納する矩形の筒状体を構成するとともに前面側において上記表示パネル体の表示面を囲むようにして外周フランジ部を構成してなり、
上記外周フランジ部の前面に重ね合わされた透明な前面パネルの内面に、上記表示パネル体の外周部を目隠しする不透明な目隠し枠部を形成したことを特徴とする請求項２に記載のパネル型表示装置。
【発明の詳細な説明】
【０００１】
【発明の属する技術分野】
本発明は、大型の表示画面を有するモニタ本体と、このモニタ本体に付設されるスピーカボックスとを備えるパネル型表示装置に関する。
【０００２】
【従来の技術】
表示装置においては、大型表示画面化、軽量薄型化等の要求に伴って従来の陰極線管（ＣＲＴ：ｃａｔｈｏｄｅ−ｒａｙ  ｔｕｂｅ）に代わって、いわゆるパネル型表示装置と称される例えばプラズマディスプレイパネル（ＰＤＰ：ｐｌａｓｍａ  ｄｉｓｐｌａｙ  ｐａｎｅｌ）や液晶ディスプレイパネル等の実用化が進んでおり、またエレクトリックルミネッセンスディスプレイパネル（ｅｌｅｃｔｔｒｏ  ｌｕｍｉｎｅｓｃｅｎｔ  ｌｉｇｈｔ  ｓｏｕｒｃｅ  ｄｉｓｐｌａｙ  ｐａｎｅｌ）等の開発も進められている。特に、ＰＤＰ表示装置は、５０インチ以上の大型表示画面が実現されるとともに良好な画質や壁掛け型としても使用が可能な軽量薄型等の特徴を有することから、例えばハイビジョン放送やデジタルテレビジョン放送用の受信機や大型ディスプレイ装置用として注目されている。
【０００３】
【発明が解決しようとする課題】
ところで、パネル型表示装置においては、一般にディスプレイパネルが、合成樹脂材によって略角筒状に成形された筐体内に収納して固定される。パネル型表示装置においては、大型表示画面を有しかつ重量の大きなディスプレイパネルを固定保持する筐体が、重要な外装部材を構成する。したがって、筐体は、ディスプレイパネルをしっかりと固定保持する機械的強度と、良好な仕上がり面を有して成形されなければならない。
【０００４】
表示装置においては、ディスプレイパネルと筐体との合わせラインを目隠しするために、一般に表示領域を囲んで不透明な黒枠領域が設けられている。表示装置においては、黒枠領域の外側に透明な枠状領域を構成することによって、表示画像が浮き上がるように強調して表示するいわゆるフローティング表示の対応も図られる。かかる表示装置においては、前面パネルばかりでなく筐体も透明なポリカーボネート樹脂等の合成樹脂材によって成形される。
【０００５】
パネル型表示装置においては、筐体が、略角筒状を呈して成形される、ディスプレイパネルを保持する充分な機械的強度を有して成形される、外装部材として高精度の仕上がり面を有して成形される、多数の取付部や位置決め部等が一体に成形された複雑な形状で成形される等の成形条件に対応して成形されなければならない。かかる筐体の成形工程には、高性能で大型製品の成形を可能とする成型機と、高精度でかつ複雑な構造の成形金型とが用いられる。
【０００６】
しかしながら、パネル型表示装置においては、上述したような超大型の表示画面を有するディスプレイパネルを収納保持する筐体を成形するための能力を有する成形機が提供されておらず、高精度の仕上がりを有する成形が困難であり、成形効率や歩留りも悪いといった問題があった。したがって、従来の大型パネル型表示装置においては、筐体を分割して成形するとともに、これら分割筐体の結合部位にモール等を介在させてその結合部位を隠すような対応が図られていた。
【０００７】
パネル型表示装置においては、特に上述したフローティング表示を行う場合に、筐体を透明樹脂材によって成形することから、ウエルドラインの発生等による歩留まりがさらに低下するといった問題があった。また、かかるパネル型表示装置においては、結合部位のモール材が折角のフローティング表示の効果を損なわせてしまうといった問題があった。
【０００８】
したがって、本発明は、高精度にかつ高成形効率を図って成形された筐体により大型表示を可能とするディスプレイパネルを収納保持してなるパネル型表示装置を提供することを目的に提案されたものである。
【０００９】
【課題を解決するための手段】
上述した目的を達成する本発明にかかるパネル型表示装置は、表示パネル体を収納保持してなる樹脂製筐体の左右両側面部にスピーカボックスを組み合わせてなる。パネル型表示装置は、筐体が、第１の半割筐体と第２の半割筐体とに分割して成形されるとともに、これら第１の半割筐体と第２の半割筐体とをジョイント部材を介して組み合わせて構成する。パネル型表示装置は、ジョイント部材と第１の半割筐体との突合せ部位及びジョイント部材と第２の半割筐体との突合せ部位の表面側に端子嵌合凹部を設け、この端子嵌合凹部内に表示パネル体とスピーカボックスとを接続する接続端子部材が嵌合して設けられる。
【００１０】
以上のように構成された本発明にかかるパネル型表示装置によれば、筐体を第１の半割筐体と第２の半割筐体とに分割して成形することによって、成形条件が緩和され高精度の半割筐体が効率よくかつコスト低減を図って成形されるようになる。パネル型表示装置によれば、第１の半割筐体と第２の半割筐体と、これらを一体化するジョイント部材との突合せ部位が、表面側に設けられた端子嵌合凹部に嵌合される接続端子部材によって目隠しされることによって、外観意匠も損なわれることが無く、また表示パネル体とスピーカボックスも簡易な構造によって行われる。パネル型表示装置によれば、第１の半割筐体と第２の半割筐体及びジョイント部材とを透明樹脂によって成形する場合においても、ウェルドラインの発生が低減され効率的なフローティング表示を行うことが可能である。
【００１１】
【発明の実施の形態】
以下、本発明の実施の形態として図面に示したパネル型表示装置１について詳細に説明する。パネル型表示装置１は、図１乃至図４に示すように、正面形状が横長矩形を呈するモニタ本体２と、このモニタ本体２の左右両側面部２ａ、２ｂに対して着脱自在に組み合わされる左右一対のスピーカボックス３Ａ、３Ｂ（以下、個別に説明する場合を除いて、スピーカボックス３と総称する。）とから構成される。なお、以下の説明において、左右、上下、前後等の位置を表現する用語は、図１を基準にして用いるものとする。
【００１２】
パネル型表示装置１は、図２に示すようよに、モニタ本体２が、表示パネル体４と、上下一対のホルダ部材５Ａ、５Ｂ（以下、個別に説明する場合を除いて、ホルダ部材５と総称する。）と、前面パネル６と、背面カバー部材７とを備えている。また、パネル型表示装置１は、上述した各部材を保持する上下一対のブラケット部材８Ａ、８Ｂ（以下、個別に説明する場合を除いて、ブラケット部材８と総称する。）と、左右一対のカバー部材９Ａ、９Ｂ（以下、個別に説明する場合を除いて、カバー部材９と総称する。）とを備える。
【００１３】
モニタ本体２は、詳細を後述するように、ホルダ部材５の内部に表示パネル体４を収納して固定するとともに、このホルダ部材５の前面部に前面パネル６を重ね合わせて表示パネル体４を保持しかつ背面部に背面カバー部材７が組み合わされてなる。モニタ本体２は、表示パネル体４を挟み込んだホルダ部材５と前面パネル６とを、ブラケット部材８によって上下部位を、またカバー部材９によって左右部位を組み合わせた状態に保持してなる。したがって、モニタ本体２は、ブラケット部材８とカバー部材９とが表示面を囲む外周枠部材を構成してなる。
【００１４】
パネル型表示装置１には、モニタ本体２に、横長矩形の６１インチ大画面を有する大型のカラープラズマディスプレイパネルの表示パネル体４が用いられる。カラープラズマディスプレイパネルは、周知のように放電セル内に配置した電極間にパルス電圧を印加して放電により紫外線を発生させ、この紫外線を前面ガラスに形成した赤、緑、青の光三原色蛍光体に照射して発光表示が行われるようにする。カラープラズマディスプレイパネルは、陰極線管のように高電圧の駆動部を必要とせず、軽量薄型であるとともに大型の表示画面を形成することが可能であるといった種々の特徴を有している。
【００１５】
表示パネル体４は、詳細を省略するが、マトリックス状に配列した放電セルや駆動回路部あるいは制御回路部や電源部等を設けた図示しないフレームがシールドケース１０内に組み付けられる。表示パネル体４には、シールドケース１０の前面部に発光層が形成された発光表示面を構成する前面ガラス１１がフレームに組み付けられている。表示パネル体４には、図示を省略するがフレームに適宜の取付部が一体に形成されており、これら取付部を介してホルダ部材５に組み付けられて固定される。
【００１６】
ホルダ部材５は、組み合せた状態において全体略角筒体を構成する半割り構造の上部ホルダ部材５Ａ及び下部ホルダ部材５Ｂとからなる。ホルダ部材５は、上部ホルダ部材５Ａと下部ホルダ部材５Ｂとが、突き合わせ端部間に介在される左右一対のジョイント部材１２Ａ、１２Ｂ（以下、個別に説明する場合を除いて、ジョイント部材１２と総称する。）を介して一体化される。ジョイント部材１２は、詳細を後述するように、モニタ本体２とスピーカボックス３とを電気的に接続する接続端子受け部１３Ａ、１３Ｂ（以下、個別に説明する場合を除いて、接続端子受け部１３と総称する。）を構成する。
【００１７】
ホルダ部材５は、上部ホルダ部材５Ａと下部ホルダ部材５Ｂとが、例えば透明なポリカーボネート樹脂やアクリル樹脂或いはＭＳ樹脂（メチルメタクリレート・スチレンモノマー共重合体）、ポリプロピレン、ＡＢＳ樹脂（アクリロニトリルブタジエンスチレン）、ポリスチレン樹脂、エポキシ系樹脂等の樹脂材によって上部ホルダ部材５Ａと下部ホルダ部材５Ｂとが上下略対称形に成形される。ホルダ部材５は、表示パネル体４を収納するに足る長さを有する半角筒状の外装筒部１４Ａ、１４Ｂ（以下、個別に説明する場合を除いて、外装筒部１４と総称する。）と、この外装筒部１４の前面側の開口縁に沿って周回りに突出形成された略板状の外周フランジ部１５Ａ、１５Ｂ（以下、個別に説明する場合を除いて、外周フランジ部１５と総称する。）と、外装筒部１４の背面側において開口縁に沿って内方へと突出するフランジ受け部１６Ａ、１６Ｂ（以下、個別に説明する場合を除いて、フランジ受け部１６と総称する。）が一体に形成されている。
【００１８】
ホルダ部材５には、外装筒部１４やフランジ受け部１６に図示を省略するが、表示パネル体４や背面カバー部材７を固定するための取付部が適宜形成されている。ホルダ部材５は、上部ホルダ部材５Ａと下部ホルダ部材５Ｂとがジョイント部材１２を介して結合されて全体略角筒状体を構成する。ホルダ部材５は、フランジ受け部１６に形成した図示しない取付部を介して表示パネル体４を外装筒部１４内に収納して固定する。ホルダ部材５には、この状態において外周フランジ部１５が表示パネル体４の前面ガラス１１と略同一面を構成するとともに、この外周フランジ部１５の前面に前面パネル６が重ね合わされて接合される。
【００１９】
ホルダ部材５には、詳細を省略するが外周フランジ部１５の裏面側に、上縁部及び下縁部に沿ってそれぞれブラケット部材８を取り付けて固定するための取付部が複数箇所に一体に形成されている。また、ホルダ部材５には、左右外周フランジ部に、カバー部材９やジョイント部材１２或いはスピーカボックス３を固定するための取付部１７（図１６、図１７参照）が複数箇所にそれぞれ形成されている。取付部１７には、ブラケット部材８を強固に固定するためにそれぞれ取付用ブラケット片１８が組み付けられる。
【００２０】
ホルダ部材５は、上述したように６０インチ以上の大型画面を有する表示パネル体４を備えるパネル型表示装置１において、外装機能と、比較的重量の大きい表示パネル体４或いはスピーカボックス３を取り付けて保持する機能と、前面パネル６と重ね合わされて表示部材の一部を構成する機能或いは光学表示部１９を内照する導光機能とを有する部材である。ホルダ部材５は、上述したように透明なポリカーボネート樹脂等によって成形されるが、充分な機械的強度を有するとともに、歪み等の発生が無い高精度の平坦性を有しかつウエルドラインが目立たない仕上りが要求される。
【００２１】
かかる特性を有するホルダ部材５は、一体で成形する場合には、高精度で大型の成型機と精密かつ複雑な成形金型とが用いられるが、成形効率や歩留りも悪く極めて高価となってしまうとともに充分な成形精度を得ることが困難である。したがって、ホルダ部材５は、一体で成形された部材とせずに、上述したように上部ホルダ部材５Ａと下部ホルダ部材５Ｂとに半割りしてこれらを一体に組み合わせて構成する。ホルダ部材５は、かかる構造を採用することにより、上述した所定の機能を奏するとともに仕上がり精度の向上やコスト低減が図られる対応が図られる。ホルダ部材５は、このように半割構造とすることによって前面部側にも上部ホルダ部材５Ａと下部ホルダ部材５Ｂとの結合部位が生じることになるが、この結合部位を巧に利用して詳細を後述するようにジョイント部材１２を介して左右の接続端子受け部１３Ａ、１３Ｂを構成するとともに、外観的な違和感が生じないように構成される。
【００２２】
ホルダ部材５は、詳細を後述するように外周フランジ部１５の外周部位が前面パネル６と重ね合わされて表示面の一部を構成する。ホルダ部材５には、下部ホルダ部材５Ｂの左右外周フランジ部の一部が、電源の投入状態や各モードの設定状態等を表示する光学表示部１９Ａ、１９Ｂ（以下、個別に説明する場合を除いて、光学表示部１９と総称する。）に対する導光部を構成する。すなわち、ホルダ部材５は、詳細を後述するように表示パネル体４の内部に設けた光源となる発光ダイオード２０の出射光を前面パネル６に設けた光学表示部１９へと導光する導光部材として機能する。
【００２３】
前面パネル６は、例えばガラスや透明なポリカーボネート樹脂やアクリル樹脂或いは他の樹脂材によって、表示パネル体４の前面ガラス１１よりも大型でかつホルダ部材５の外周フランジ部１５と高さ寸法がほぼ等しい外形寸法を有して形成される。前面パネル６には、詳細を省略するが表面に外光の反射を防止するとともに傷付きを防止しかつ外部光の影響を低減して良好な画像表示を行うようにする反射防止フィルムが接合されるとともに、裏面の表示パネル体４の表示面と対向する領域に赤外線吸収フィルム及び透明な電磁シールド部材が接合されている。
【００２４】
前面パネル６には、図１に示すように外周縁からやや内側に位置して所定幅を有する目隠し枠部２１が形成されている。目隠し枠部２１は、前面パネル６の裏面に、表示パネル体４の表示面と対向する領域を縁取るようにして例えば黒色セラミック印刷を施して形成される。目隠し枠部２１は、表示パネル体４の外周部に対して全周に対向して所定幅を以って形成されることによって、この表示パネル体４のシールドケース１０と前面ガラス１１の合わせ部位を目隠しする。
【００２５】
また、目隠し枠部２１は、前面パネル６の外周縁に沿って、所定の幅を有する枠状の透明領域２２を構成する。したがって、パネル型表示装置１においては、前面パネル６の目隠し枠部２１で囲まれた領域内に画像表示が行われるようにするとともに、この表示画像が周囲の枠状透明領域２２によって浮き上がった独自の表示形態を呈するようになる。前面パネル６は、枠状透明領域２２に光学表示部１９を形成する。なお、前面パネル６には、図示を省略するが目隠し枠部２１の一部にリモートコントローラから出射される制御信号の赤外線を受光する受光部が形成されている。
【００２６】
背面カバー部材７は、アルミ等の軽量金属材によって全体略有底角皿状に形成され、ホルダ部材５に組み付けた表示パネル体４の背面部を覆うようにしてホルダ部材５の外装筒部１４の外周部に組み合わされることによって表示パネル体４を保護するとともに電磁シールドの作用を奏する。背面カバー部材７には、表示パネル体４の背面部に設けた詳細を省略する入出力端子部に対向して、底面部に開口部２３が形成されている。パネル型表示装置１は、開口部２３から電源コードやアンテナ線或いは各種のケーブル等が引き込まれる。
【００２７】
ブラケット部材８は、充分な機械的強度を有するとともに所定の外観仕上げが可能な例えばアルミ押し出し材等が用いられ、前面パネル６の長辺、換言すればホルダ部材５の外周フランジ部１５の長さとほぼ等しい長さを有する長尺部材に形成されてなる。ブラケット部材８は、長さ方向の全長に亘って保持溝２４Ａ、２４Ｂ（以下、個別に説明する場合を除いて、保持溝２４と総称する。）が形成された断面コ字状を呈している。
【００２８】
すなわち、ブラケット部材８は、水平梁部と、この水平梁部の前方縁に沿って長さ方向の全長に亘って折曲された前面保持部と、この前面保持部と対向して水平梁部の後方縁に沿って長さ方向の全長に亘って折曲された背面保持部とからなる。ブラケット部材８は、水平梁部と対向する側面を全長に亘って開放して内部に保持溝２４を構成してなる。ブラケット部材８は、保持溝２４が、その溝幅をホルダ部材５の外周フランジ部１５の厚みと前面パネル６の厚みの和とほぼ等しく形成されている。
【００２９】
ブラケット部材８は、前面保持部と背面保持部との高さが前面パネル６の外周部に構成された透明領域２２の幅よりも小さく形成されている。ブラケット部材８には、詳細を省略するが背面保持部に、ホルダ部材５の外周フランジ部１５に形成した取付部に対向して複数箇所にねじ孔が形成されるとともに、先端部を内側へと折曲して外周フランジ部１５の背面に形成した水平方向のガイドリブと相対係合されるガイドリブが形成されている。ブラケット部材８は、これらガイドリブの組み合わせによって、外周フランジ部１５が前面パネル６と接合されたホルダ部材５に対して位置決めされて組み合わされる。
【００３０】
以上のように構成された各ブラケット部材８は、重ね合わせて接合されることによって表示パネル体４を挟み込んで保持するホルダ部材５の外周フランジ部１５と前面パネル６とを、それらの上縁部と下縁部とを保持溝２４内に嵌合して前面保持部と背面保持部とによって挟み込むことにより、しっかりと保持する。各ブラケット部材８は、この状態においてモニタ本体２の上下縁をそれぞれ縁取るモール部材としても作用する。
【００３１】
各ブラケット部材８は、それぞれの両端部位が、ホルダ部材５の外周フランジ部１５や後述するカバー部材９の対応部位と共同してモニタ本体２に組み付けられるスピーカボックス３の結合受け部２５Ａ乃至２５Ｄ（以下、個別に説明する場合を除いて、結合受け部２５と総称する。）を構成する。ブラケット部材８には、このために両端部に位置決め凸部２６Ａ乃至２６Ｄ（以下、個別に説明する場合を除いて、位置決め凸部２６と総称する。）と、嵌合空間部２７とが形成される。
【００３２】
位置決め凸部２６は、図１６及び図１８に示すようにブラケット部材８の前面保持部と背面保持部とをそれぞれの両端において切り欠くことにより、切り残された水平梁部の端部に形成された庇状の凸部によって構成される。位置決め凸部２６は、詳細を後述するようにモニタ本体２側から突出する部位としてスピーカボックス３側に嵌合され、モニタ本体２とスピーカボックス３とを組み合わせる際の位置決めガイド作用や前後方向の振れ止め作用等を奏する。
【００３３】
嵌合空間部２７は、図１６及び図１８に示すようにブラケット部材８の両端部にそれぞれ開口し、水平梁部の内面とホルダ部材５の外周フランジ部１５及び前面パネル６の端面との間に構成される長さ方向の間隙からなる。嵌合空間部２７は、詳細を後述するようにモニタ本体２の内部においてスピーカボックス３側に突出形成され嵌合する結合部材７６の受け部となり、位置決め凸部２６と共同してモニタ本体２とスピーカボックス３とを組み合わせる際の位置決めガイド作用や振れ止め作用等を奏する。
【００３４】
カバー部材９も、ブラケット部材８と共同して接合されたホルダ部材５の外周フランジ部１５と前面パネル６とを保持するとともに左右の両側面部のモール部材としても作用する。カバー部材９は、上述したブラケット部材８の補助的保持部材として左右両側面部を保持すればよく、アルミ押し出し材によって形成されている。
【００３５】
カバー部材９は、前面パネル６の高さとほぼ等しい長さを有する長尺部材であり、長さ方向の全長に亘って保持溝２８Ａ、２８Ｂ（以下、個別に説明する場合を除いて、保持溝２８と総称する。）が形成された断面コ字状を呈している。カバー部材９は、高さ方向の側面部２９Ａ、２９Ｂ（以下、個別に説明する場合を除いて、側面部２９と総称する。）と、この側面部２９の前方縁に沿って長さ方向の全長に折曲形成した前面保持部と、この前面保持部と対向して側面部２９の後方縁に沿って長さ方向の全長に折曲形成した背面保持部とからなる。
【００３６】
カバー部材９も、保持溝２８が、ブラケット部材８の保持溝２４と同様に、その溝幅をホルダ部材５の外周フランジ部１５の厚みと前面パネル６の厚みの和とほぼ等しく形成されている。カバー部材９は、前面保持部と背面保持部との幅が前面パネル６の外周部に構成された透明領域２２の幅よりもやや小さく形成されている。カバー部材９にも、詳細を省略するが背面保持部に、ホルダ部材５の外周フランジ部１５に形成した取付部１７に対向して複数箇所にねじ孔が形成されるとともに、先端部を内側へと折曲して外周フランジ部１５の背面に形成した水平方向のガイドリブと相対係合されるガイドリブが形成されている。
【００３７】
カバー部材９にも、側面部２９の上下端部に、ホルダ部材５の外周フランジ部１５やブラケット部材８の対応部位と共同してモニタ本体２に組み付けられるスピーカボックス３の結合受け部２５を構成する。カバー部材９は、このために側面部２９の端部をそれぞれ高さ方向に切り欠いてそれぞれ嵌合凹部３０Ａ乃至３０Ｄ（以下、個別に説明する場合を除いて、嵌合凹部３０と総称する。）を形成する。嵌合凹部３０は、図４及び図１９に示すように側面部２９の端部において上述したブラケット部材８側の嵌合空間部３０を外方に臨ませる。
【００３８】
カバー部材９には、高さ方向の略中央部に位置して側面部２９を切り欠いて端子結合開口部３１（図２及び図３参照。）が設けられている。端子結合開口部３１は、ジョイント部材１２の端面形状よりもやや大きな矩形の開口部であり、詳細を後述するようにジョイント部材１２と共同してスピーカボックス３側との端子接続を行う接続端子受け部１３を構成する。
【００３９】
カバー部材９は、モニタ本体２に対してスピーカボックス３が組み付けられた状態では、図１及び図１５に示すように外部から視認されることは無くもっぱら左右側面部２ａ、２ｂにおけるホルダ部材５と前面パネル６との保持部材及びスピーカボックス３の取付部材として機能する。カバー部材９は、モニタ本体２に対してスピーカボックス３が取り外された状態では、図３及び図１９に示すように左右側面部２ａ、２ｂの外観意匠を構成する。カバー部材９には、上述したように側面部２９に嵌合凹部３０と端子結合開口部３１とが形成されていることから、これら嵌合凹部３０と端子結合開口部３１とが直接外部に露出される。
【００４０】
モニタ本体２においては、これら嵌合凹部３０や端子結合開口部３１が、左右側面部に設けられしかも全体の大きさと比較して小さな開口部であることから目立つことは無い。しかしながら、モニタ本体２においては、モニタ本体２からスピーカボックス３を取り外して用いるユーザの一部からこれら嵌合凹部３０や端子結合開口部３１も気になるといった指摘を受けることもあることを考慮して、図３に示すように第２のカバー部材３２Ａ、３２Ｂ（以下、個別に説明する場合を除いて、第２のカバー部材３２と総称する。）も用意される。
【００４１】
第２のカバー部材３２は、基本的な形状を上述したカバー部材９と同様に形成され、嵌合凹部３０や端子結合開口部３１が形成されていない断面コ字状の部材からなる。第２のカバー部材３２は、例えば予備パーツとして提供され、ユーザが必要に応じてカバー部材９と交換してモニタ本体２に取り付けて用いられる。
【００４２】
ジョイント部材１２は、上述したように上部ホルダ部材５Ａと下部ホルダ部材５Ｂとを一体化するとともに、接続端子受け部１３を構成する。なお、接続端子受け部１３については、その詳細について図４乃至図１０を参照して後述するので、以下ジョイント部材１２とホルダ部材５の構成について説明する。ジョイント部材１２は、ホルダ部材５と同一材料によってホルダ部材５の断面形状とほぼ等しい略クランク状の断面形状に成形されている。すなわち、ジョイント部材１２は、図１０乃至図１２に示すようにホルダ部材５の外装筒部１４と対応する前後方向の外装壁部１２ａと、この外装壁部１２ａの前方縁から外側に向かって一体に折曲形成され外周フランジ部１５と対応する外側フランジ部１２ｂと、外装壁部１２ａの後方縁から内側に向かって折曲形成され受けフランジ部１６に対応する内側フランジ部１２ｃとからなる。
【００４３】
ジョイント部材１２には、上縁部に全域に亘って係合凸部３３が形成されるとともに下縁部にも全域に亘って係合凸部３４が形成されている。ジョイント部材１２には、詳細を省略するが外側フランジ部１２ｂの端部にやや薄肉とされた高さ方向の幅広の部位からなる出力端子取付部３５が一体に形成されるとともに、内側フランジ部１２ｃの端部にも同様の高さ方向の幅広部位からなる入力端子取付部３６が一体に形成されている。ジョイント部材１２は、詳細を後述するように上部ホルダ部材５Ａと下部ホルダ部材５Ｂとの突き合わせ端部に介在され、これら上部ホルダ部材５Ａと下部ホルダ部材５Ｂとを一体化して全体でホルダ部材５を構成する。
【００４４】
ジョイント部材１２には、図５及び図７に示すように上縁係合凸部３３に対して上部ホルダ部材５Ａがその下縁部に形成した下縁係合凸部３７を相対係合されて組み合わされ、下縁係合凸部３４に対して下部ホルダ部材５Ｂがその上縁部に形成した上縁係合凸部３８を相対係合されて組み合わされる。ジョイント部材１２には、上述したように上縁係合凸部３３と下縁係合凸部３７とによって構成された凹部を第１の端子嵌合凹部４８としてその内部に第１の接続端子部材３９が組み付けられる。ジョイント部材１２には、下縁係合凸部３４と上縁係合凸部３８とによって構成された凹部を第２の端子嵌合凹部４９としてその内部に第２の接続端子部材４０が組み付けられる。
【００４５】
これら第１の接続端子部材３９と第２の接続端子部材４０は、互いにほぼ同一形状に形成されていることから、第１の接続端子部材３９についてのみ説明し、第２の接続端子部材４０については対応する部位については同一符号を付すことにより説明を省略する。接続端子部材３９は、ジョイント部材１２の断面形状に対応して全体略クランク状に形成され、図７に示すように一端部が外側フランジ部１２ｂに形成した出力端子取付部３５に延在されて受け端子部４１が一体に形成されるとともに他端部が内側フランジ部１２ｃに形成した入力端子取付部３６に延在されて接続端子部４２が一体に形成されている。第１の接続端子部材３９と第２の接続端子部材４０には、後述するようにスピーカボックス３側の端子部材７２が相対接続される。
【００４６】
接続端子部材３９は、図７に示すように受け端子部４１側がその近傍に形成された取付片部４３をジョイント部材１２の出力端子取付部３５に形成した取付座４４にねじ止めされることによって固定される。接続端子部材３９は、接続端子部４２がジョイント部材１２の入力端子取付部３６に取り付けられる保持部材４５によって保持される。接続端子部材３９は、受け端子部４１が、図７及び図９に示すように先端部が後方側へと折曲されるとともに軸方向のスリットを設けて二股に分岐されている。受け端子部４１は、二股に分岐された端部４１ａ、４１ｂが中央部の間隔を狭くするようにして互いに向き合う方向に円弧状に湾曲されている。
【００４７】
ホルダ部材５には、上述したように外周フランジ部１５の端部にカバー部材９が組み付けられる。カバー部材９は、ジョイント部材１２の出力端子取付部３５も被覆するが、上述したようにその側面部２９に端子結合開口部３１が設けられている。カバー部材９は、図５及び図６に示すようにこの端子結合開口部３１を介して第１の接続端子部材３９と第２の接続端子部材４０の受け端子部４１を外方に臨ませる。
【００４８】
ジョイント部材１２とホルダ部材５とは、上縁部と下縁部とに形成する上述した上縁係合凸部３３と下縁係合凸部３７及び下縁係合凸部３４と上縁係合凸部３８との構造に特徴を有しており、その構成について図８乃至図１０を参照してさらに詳細に説明する。なお、上縁係合凸部３３、３８と下縁係合凸部３４、３７とは、ジョイント部材１２とホルダ部材５の上縁部と下縁部とに上下対称に形成されることから、上縁係合凸部３３と下縁係合凸部３７の構成を代表して説明する。
【００４９】
すなわち、ジョイント部材１２には、図９及び図１０に示すように外側フランジ部１２ｂの表面側から外装壁部１２ａの内面側及び内側フランジ部１２ｃの表面側に凹部を形成するようにして上縁部に上縁係合凸部３３が連続して形成されている。上縁係合凸部３３は、ジョイント部材１２の全体の厚みに対して１／２よりもやや小さい厚みを有する凸部からなる。ジョイント部材１２には、外装壁部１２ａの上縁部に上縁係合凸部３３に沿って係合凹部３３ａが形成されるともに、外側フランジ部１２ｂの上縁部に上縁係合凸部３３に沿って係合凹部３３ｂが形成されている。
【００５０】
ジョイント部材１２は、外装壁部１２ａ側の係合凹部３３ａが上縁部の内側に沿って形成されるとともに、外側フランジ部１２ｂの係合凹部３３ｂが背面側に沿って形成されている。なお、ジョイント部材１２には、上縁部と同様に、外装壁部１２ａの下縁部にも下縁係合凸部３４に沿って係合凹部３４ａが形成されるともに、外側フランジ部１２ｂの下縁部に下縁係合凸部３４に沿って係合凹部３４ｂが形成されている。
【００５１】
ジョイント部材１２には、上述したように上縁部に上部ホルダ部材５Ａの下縁係合凸部３７が突き合わされて組み付けられるとともに、下縁部に下部ホルダ部材５Ｂの上縁係合凸部３８が突き合わされて組み付けられる。ジョイント部材１２には、この場合に上部ホルダ部材５Ａの下縁係合凸部３７が係合凹部３３ａと係合凹部３３ｂとに嵌合されて組み付けられるとともに、下部ホルダ部材５Ｂの上縁係合凸部３８が係合凹部３４ａと係合凹部３４ｂとに嵌合されて組み付けられる。
【００５２】
すなわち、ジョイント部材１２とホルダ部材５とは、図７及び図８に示すように、外側フランジ部１２ｂに対して外周フランジ部１５を突き合わせ、外装壁部１２ａに対して外装筒部１４を突き合わせ、内側フランジ部１２ｃに対して受けフランジ部１６を突き合わせて組み合わされることによりモニタ本体２の外装部位を構成する。ジョイント部材１２とホルダ部材５とは、外側フランジ部１２ｂと外周フランジ部１５及び内側フランジ部１２ｃと受けフランジ部１６とにおいてそれぞれ第１の接続端子部材３９と第２の接続端子部材４０とを嵌合する第１の端子嵌合凹部４８と第２の端子嵌合凹部４９とを構成する。これら第１の端子嵌合凹部４８と第２の端子嵌合凹部４９は、第１の接続端子部材３９及び第２の接続端子部材４０の厚みよりもやや大きい深さを有している。
【００５３】
ジョイント部材１２とホルダ部材５とは、前面側に位置される外側フランジ部１２ｂと外周フランジ部１５との部位において、上述したように係合凸部３６、３７が奥まった位置に形成された係合凹部３３ｂ、３４ｂと相対係合することによって、表面側に水平方向に開口する第１の端子嵌合凹部４８と第２の端子嵌合凹部４９とを構成する。また、ジョイント部材１２とホルダ部材５とは、内面側に位置される外装壁部１２ａと外装筒部１４との部位において、上述したように係合凸部３６、３７が内側位置に形成された係合凹部３３ａ、３４ａと相対係合することによって、第１の端子嵌合凹部４８と第２の端子嵌合凹部４９とが係合凸部３３、３４と係合凸部３６、３７との対向空間に構成される。
【００５４】
したがって、モニタ本体２においては、前面側に位置されるホルダ部材５の外側フランジ部１２ｂとジョイント部材１２の外周フランジ部１５において、第１の端子嵌合凹部４８と第２の端子嵌合凹部４９内に嵌合した第１の接続端子部材３９と第２の接続端子部材４０とが、ホルダ部材５とジョイント部材１２の表面と略同一面を構成する。モニタ本体２においては、モニタ本体２は、図４及び図５に示すように、ジョイント部材１２とホルダ部材５との突き合わせされた端部が、表面側において第１の接続端子部材３９と第２の接続端子部材４０とが延在することによってこの突合せ部位を目隠しされる。
【００５５】
モニタ本体２においては、図１に示すように前面パネル６の両側面部の高さ方向の略中央部において、ジョイント部材１２と第１の接続端子部材３９と第２の接続端子部材４０とが透明領域２２を横切る外観を呈する。モニタ本体２においては、この部位において上部ホルダ部材５Ａと下部ホルダ部材５Ｂとが突き合わされているが、違和感を生じることは無くアクセントとなって意匠的外観の向上が図られる。また、モニタ本体２においては、この部位においてスピーカボックス３との接続端子受け部１３を構成する。
【００５６】
モニタ本体２は、ジョイント部材１２とホルダ部材５とが上述したように外装壁部１２ａと外装筒部１４とによって角筒状の外装部位を構成し、図８に示すようにその外周部にシールドケース１０を嵌装してなる。また、モニタ本体２は、ジョイント部材１２とホルダ部材５との外装部位に閉塞された第１の端子嵌合凹部４８と第２の端子嵌合凹部４９とを構成するともにその内部に第１の接続端子部材３９と第２の接続端子部材４０とを延在させたことによって、これら第１の接続端子部材３９及び第２の接続端子部材４０とシールドケース１０との絶縁が確実に保持されるようにする。なお、モニタ本体２は、この構造により表示パネル体４内に設けた図示しないシールドプレートとの絶縁も保持するようにする。
【００５７】
モニタ本体２には、上述したように前面パネル６の外周部位に光学表示部１９が設けられている。光学表示部１９は、図１１に示すように前面パネル６に目隠し枠部２１と同様に黒色セラミック印刷を施して形成された表示文字や記号からなる表示部５０Ａ乃至５０Ｃ（以下、個別に説明する場合を除いて、表示部５０と総称する。）と、これら表示部５０の近傍にそれぞれ位置する光点部５１Ａ乃至５１Ｃ（以下、個別に説明する場合を除いて、光点部５１と総称する。）とからなる。なお、光学表示部１９は、上述したようにモニタ本体２の左右両側に設けられるとともに、表示部５０や光点部５１が３個に限定されるものでは無いことは勿論である。
【００５８】
光学表示部１９は、図１１乃至図１３に示すように、表示パネル体４に設けられた取付部５２に取り付けられた配線基板に実装された複数個の発光ダイオード２０からそれぞれ出射された出射光Ｌにより相対する光点部５１が内照される。光学表示部１９には、各発光ダイオード２０からの出射光Ｌが、ホルダ部材５の外装筒部１４と外周フランジ部１５内を導光され、外周フランジ部１５と重ね合わされた前面パネル６の相対する光点部５１の裏面側に導光される。
【００５９】
各発光ダイオード２０は、光点部５１と同数が設けられており、図１２に示すようにホルダ部材５に収納された表示パネル体４の側面部に沿って設けられた取付部５２に取り付けられている。取付部５２は、ホルダ部材５の外装部１５と重ね合わされるシールドケース１０に形成された図示を省略する開口部に臨んで形成され、各発光ダイオード２０をこの開口部と対向させる。
【００６０】
ホルダ部材５には、発光ダイオード２０の出射光Ｌを導光するために、各発光ダイオード２０と対向して外装筒部１４の端部に沿って入射部５３Ａ乃至５３Ｃ（以下、個別に説明する場合を除いて、入射部５３と総称する。）が形成されるとともに、光点部５１と対向して外周フランジ部１５の内面に出射部５４Ａ乃至５４Ｃ（以下、個別に説明する場合を除いて、出射部５４と総称する。）が形成されている。ホルダ部材５には、互いに直交して連設される外装筒部１４と外周フランジ部１５との連結部位に反射部５４が形成されている。ホルダ部材５には、反射部５４と対向する外装筒部１４と外周フランジ部１５との連結部位の内面に遮光部材５５が設けられている。遮光部材５５は、内部を導光されて反射部５４によって反射される発光ダイオード２０の出射光Ｌが、反射部５４と対向する部位から外部へと露光することを防止する。
【００６１】
入射部５３は、図１２及び図１３に示すように、発光ダイオード２０と対向する外装筒部１４の端部に形成された断面形状が直角三角形の凹部からなる。入射部５３は、発光ダイオード２０の出射光Ｌの光軸と対向する凹部の斜面が４５°の傾斜面として形成されている。したがって、入射部５３は、図１８及び図１９に示すように外装筒部１４に入射された発光ダイオード２０の出射光Ｌを９０°屈折して外周フランジ部１５へと導光する。
【００６２】
出射部５４も、図１２及び図１３に示すように、光点部５１と対向するホルダ部材５の外周フランジ部１５の内面に形成された断面形状が直角三角形の凹部からなる。出射部５４は、光点部５１と対向する凹部の斜面が４５°の傾斜面として形成されている。したがって、出射部５４は、図１２及び図１３に示すように外周フランジ部１５内を導光された出射光Ｌを表面側へと９０°屈折して前面パネル６の裏面に出射する。
【００６３】
反射部５４は、外装筒部１４と外周フランジ部１５との連結部位に４５°の傾斜面を有する凹部を形成してなる。反射部５４は、上述したように入射部５３を介して外装筒部１４内を直進する発光ダイオード２０の出射光を９０°屈折して外周フランジ部１５内へと導光する。
【００６４】
モニタ本体２は、上述したように発光ダイオード２０から出射された出射光Ｌをフランジ部材５の内部において２回屈折して光学表示部１９へと導光して光点部５１を内照してなる。モニタ本体２は、上述したように発光ダイオード２０から出射された出射光Ｌの光路をホルダ部材５の内部で２回屈折させる構成を備えることによって、表示パネル体４の内部に配線基板に実装されることによって場所的な制限を受ける発光ダイオード２０と、表示位置の場所的な制限を受ける光学表示部１９との間を比較的自由に引き回しかつ小型化を図って導光することが可能となる。
【００６５】
勿論、モニタ本体２においては、発光ダイオード２０と光学表示部１９との相対的位置に応じて、フランジ部材５を導光部材として複数回に亘って屈折させて導光するようにしてもよいことは勿論である。モニタ本体２においては、フランジ部材５を導光部材として利用することにより部品点数を削減するとともに、小型化が図られるようになる。
【００６６】
以上のように構成されたモニタ本体２には、その左右側面にスピーカボックス３Ａ、３Ｂが着脱される。スピーカボックス３Ａ、３Ｂは、左右対称形であり、上述したモニタ本体２の高さとほぼ等しい高さを有するとともに、ブラケット部材８よりもやや厚みのある縦長で薄厚のボックス体からなる。各スピーカボックス３には、合成樹脂材により一体成形されたスピーカ筐体６０の内部にそれぞれ３個のスピーカ６１Ａ乃至６３Ａ、６１Ｂ乃至６３Ｂや詳細を省略するスピーカ駆動回路を内蔵した例えば３ウェイバスレフ型のスピーカユニットからなり、モニタ本体２側から供給される音響信号を出力する。
【００６７】
スピーカボックス３は、上述したようにモニタ本体２の左右側面部２ａ、２ｂに対してそれぞれ着脱自在とされ、モニタ本体２から取り外して別位置に設置して用いることも可能である。スピーカボックス３は、図４及び図１４に示すように縦長矩形のスピーカ筐体６０内に、高さ方向の同一軸線上に位置して第１のスピーカ取付部６４乃至第３のスピーカ取付部６６が一体に形成されており、これらスピーカ取付部６４乃至６６にスピーカ６１Ａ乃至６３Ａ、６１Ｂ乃至６３Ｂ（以下、個別に説明する場合を除いて、スピーカ６１乃至６３と総称する。）がそれぞれ取り付けられる。
【００６８】
スピーカボックス３には、上部の第１のスピーカ取付部６４に高音域用のトゥィータ６１が取り付けられ、中央部の第２のスピーカ取付部６５に中音域用のスコーカ６２が取り付けられ、さらに下部の第３のスピーカ取付部６６に低音域用のウーファ６３が取り付けられている。スピーカ筐体６０には、第３のスピーカ取付部６６の下方に位置して音響空間調整ダクト６７も形成されている。なお、スピーカボックス３は、外周部が防塵用のメッシュシートによって被覆されている。
【００６９】
スピーカボックス３は、一方の側面図３ａ、３ｂがモニタ本体２の相対する側面部２ａ、２ｂに組み合わされる。スピーカボックス３には、高さ方向の略中央部に位置して、上述したモニタ本体２側の接続端子受け部１３と対向して接続端子部６８が設けられている。スピーカボックス３には、上下端部に、図１６及び図１７に詳細を示すようにモニタ本体２側の各結合受け部２５と対向して結合部６９Ａ乃至６９Ｄ（以下、個別に説明する場合を除いて、結合部６９と総称する。）がそれぞれ設けられている。スピーカボックス３には、スピーカ筐体６０の側面部３ａに沿って、ホルダ部材５の外周フランジ部１５に形成した取付部１７と対向して図１４及び図１７に詳細を示す多数個の取付部７０が高さ方向に並んで設けられている。
【００７０】
スピーカボックス３は、モニタ本体２との間の音響信号の授受を接続端子部６８とモニタ本体２側の接続端子受け部１３との間における端子接続構造によって行うことで、従来の一般的なリード線接続構造から着脱操作が簡単に行われるように構成されている。接続端子部６８は、図６及び図１４に示すように第２のスピーカ取付部６５と第２のスピーカ取付部６６との間に位置してスピーカ筐体６０の内面に一体に形成された端子取付座７１Ａ乃至７１Ｃ（以下、個別に説明する場合を除いて、端子取付座７１と総称する。）と、端子取付座７１Ａ及び端子取付座７１Ｃに取り付けられた端子部材７２Ａ、７２Ｂ（以下、個別に説明する場合を除いて、端子部材７２と総称する。）とからなる。なお、中央部の端子取付座７１Ｂは、予備的に形成され、必要に応じて例えばアース端子７３が取り付けられる。
【００７１】
接続端子部６８は、図６に示すように、各端子部材７２が第１の端子取付座７１Ａと第２の端子取付座７１Ｃ上にそれぞれの基部７２ａ、７２ｂを図示しない止めねじによってねじ止めされることにより片持ち状態で固定される。各端子部材７２は、基部７２ａ、７２ｂがそれぞれスピーカ筐体６０の主面と平行とされて端子取付座７１上に固定されるが、同図に示すように自由端部７２ｃ、７２ｄ側が基部７２ａ、７２ｂに対して直交するように折曲されている。各端子部材７２は、各自由端部７２ｃ、７２ｄがスピーカ筐体６０の側面から所定の長さで突出してモニタ本体２側との接続部を構成する。
【００７２】
各端子部材７２は、自由端部７２ｃ、７２ｄの対向間隔が、上述したモニタ本体２側の第１の接続端子部材３９と第２の接続端子４０の先端部の対向間隔とほぼ等しい。各端子部材７２は、自由端部７２ｃ、７２ｄの厚みが第１の接続端子部材３９と第２の接続端子４０との二股端部４１ａ、４１ｂの対向間隔よりもやや大きい。
【００７３】
各端子部材７２は、モニタ本体２に対してスピーカボックス３が組み合わされた状態において、カバー部材９に設けた端子結合開口部３１を介してホルダ部材５とジョイント部材１２とに構成された接続端子受け部１３に進入する。端子部材７２は、図６及び図７に示すように自由端部７２ｃ、７２ｄがそれぞれ二股端部４１ａ、４１ｂを押し広げるようにして受け端子部４１と結合することで、モニタ本体２側の第１の接続端子部材３９及び第２の接続端子４０とそれぞれ接続される。
【００７４】
結合部６９は、図１４乃至図１９に示すように、スピーカ筐体６０の上面部６０ａと下面部６０ｂにそれぞれ切り欠き形成された位置決め溝部７４Ａ乃至７４Ｄ（以下、個別に説明する場合を除いて、位置決め溝部７４と総称する。）と、上面部６０ａと下面部６０ｂとに沿ってそれぞれの内面に一体に形成された取付座７５Ａ乃至７５Ｄ（以下、個別に説明する場合を除いて、取付座７５と総称する。）と、これら取付座７５にそれぞれ取り付けられた結合部材７６Ａ乃至７６Ｄ（以下、個別に説明する場合を除いて、結合部材７６と総称する。）とから構成される。
【００７５】
位置決め溝部７４は、側面部３ａ、３ｂ側に開口する切欠き溝からなり、その開口形状が上述したブラケット部材８側の位置決め凸部２６の外形形状とほぼ等しく形成されている。位置決め溝部７４には、詳細を後述するようにモニタ本体２にスピーカボックス３を組み合わせた状態で、位置決め凸部２９が相対係合する。
【００７６】
結合部材７６は、ステンレス材や鋼板によって形成され、図１６及び図１７に示すように基部を取付座７５上にねじ止め固定されるとともに上面部６０ａ或いは下面部６０ｂと平行な先端部が側面図３ａ、３ｂから所定の長さで突出されてなる。結合部材７６は、この先端部の幅がブラケット部材８の保持溝２４の溝幅とほぼ等しく、厚みが嵌合空間部２７の高さとほぼ等しく形成されている。結合部材７６は、詳細を後述するようにモニタ本体２にスピーカボックス３を組み合わせた状態で、嵌合空間部２７内に嵌合される。
【００７７】
スピーカボックス３は、モニタ本体２に対して、高さ方向の上下部位に設けた上述した結合部６９を結合受け部２５に結合することによって一体に組み合わされる。スピーカボックス３は、この状態で背面側から取付部７０にそれぞれ止めねじ７７がねじ込まれることによってモニタ本体２に対して強固に固定される。取付部７０は、上述したようにホルダ部材５の外周フランジ部１５に形成した取付部１７とカバー部材９の背面保持部に形成した取付部と互いに対向するようにして形成されている。取付部７０は、ホルダ部材５に止めねじ７７を直接ねじ込むことによって割れが発生する虞がある。したがって、取付部７０は、取付部１７に組み合わされた板状の取付用ブラケット片１８のねじ孔に止めねじ７７をねじ込むようにしてスピーカボックス３をホルダ部材５の外周フランジ部１５に固定する。
【００７８】
次に、パネル型表示装置１において、モニタ本体２とスピーカボックス３との着脱操作に伴う結合受け部２５と結合部６９の動作について、図１５及び図１８、図１９を参照して以下説明する。なお、パネル型表示装置１は、モニタ本体２とスピーカボックス３の着脱に際して結合受け部２５と結合部６９とともに接続端子受け部１３と接続端子部６８も着脱される。
【００７９】
パネル型表示装置１は、一般に図１及び図１５に示すようにモニタ本体２の両側面部２ａ、２ｂにそれぞれ左右スピーカボックス３Ａ、３Ｂが一体に組み合わされた状態でユーザに提供される。パネル型表示装置１においては、ユーザが例えばモニタ本体２を外部スピーカシステムと接続等して使用するためにこれらスピーカボックス３を不要とする場合において、簡易な操作によってモニタ本体２からスピーカボックス３を取り外すことが可能である。パネル型表示装置１においては、モニタ本体２とスピーカボックス３をそれぞれ単体で設置しても意匠的外観が損なわれることなく独立した形態で用いられる。
【００８０】
パネル型表示装置１は、モニタ本体２とスピーカボックス３とが、モニタ本体２側の上下端部に設けた結合受け部２５に対してスピーカボックス３側の上下端部に設けた結合部６９を結合して組み合わせた後に、図４に示すように背面側から取付部７０に止めねじ７７をねじ込むことによって一体化される。パネル型表示装置１は、結合受け部２５と結合部６９とが、図１６及び図１７に示すようにモニタ本体２とスピーカボックス３とをしっかりと位置決めして組み合わせるとともに、図４及び図６に示すように接続端子受け部１３と接続端子部６８との結合も確実に行われている。
【００８１】
パネル型表示装置１においては、上述したようにモニタ本体２側の結合受け部２５としてブラケット部材８の先端部に位置決め凸部２６を形成するとともに、スピーカボックス３側の結合部６９として位置決め凹部７４を形成してなる。パネル型表示装置１においては、図１５に示すように、モニタ本体２とスピーカボックス３との表面部位で、モニタ本体２側に突出形成された位置決め凸部２６がスピーカボックス３側において位置決め凹部７４に相対嵌合された構造となっている。
【００８２】
また、パネル型表示装置１においては、上述したようにモニタ本体２側の結合受け部２５としてブラケット部材８の保持溝２４を利用して嵌合空間部２７を設けるとともに、スピーカボックス３側の結合部６９として結合部材７６が設けられてなる。パネル型表示装置１においては、図１６及び図１７に示すようにモニタ本体２の内部で、スピーカボックス３側に突出形成された結合部材７６が嵌合空間部２７に相対嵌合された構造となっている。
【００８３】
パネル型表示装置１においては、上述したようにモニタ本体２とスピーカボックス３の上下部位において結合部を構成する位置決め凸部２６と位置決め凹部７４とが互いにほぼ等しい形状であるとともに嵌合空間部２７と結合部材７６とが互いにほぼ等しい形状である。したがって、パネル型表示装置１においては、モニタ本体２とスピーカボックス３とが、組み合わせた状態でふれ等を生じることなくしっかりと組み合わされる。また、パネル型表示装置１においては、モニタ本体２とスピーカボックス３とがスムーズな操作によって組み合わせが行われるようになる。パネル型表示装置１においては、モニタ本体２とスピーカボックス３とが結合部において出っ張りの無い外観を以って相互に位置合わせされて組み合わされる。
【００８４】
パネル型表示装置１においては、位置決め凸部２６と位置決め凹部７４及び嵌合空間部２７と結合部材７６との嵌合によりモニタ本体２とスピーカボックス３とが互いに位置決めされて組み合わされることによって、モニタ本体２側の接続端子受け部１３とスピーカボックス３側の接続端子部６８も互いに位置決めされる。パネル型表示装置１においては、図１３に示すようにモニタ本体２側の第１の接続端子部材３９及び第２の接続端子部材４０に対してスピーカボックス３側の端子部材７２が相対接続される。
【００８５】
パネル型表示装置１においては、全ての止めねじ７７を取り外した状態で、図１８中矢印で示すようにモニタ本体２に対してスピーカボックス３を側方への引出し操作が行われることによって、スピーカボックス３の取り外しが行われる。パネル型表示装置１においては、モニタ本体２に対してスピーカボックス３を側方へと引き出すにしたがって、図１８に示すように位置決め凸部２６が位置決め凹部７内を移動するとともに嵌合空間部２７内に結合部材７６が移動して取り外しが行われる。パネル型表示装置１においては、図１９に示すようにスピーカボックス３が取り外されたモニタ本体２が、外周部をブラケット部材８とカバー部材９とに縁取られるとともに、目隠し枠部２１と透明領域２２とに縁取られた独特な表示面を構成する。
【００８６】
なお、上述した実施の形態は、大型のカラープラズマディスプレイパネルからなる表示パネル体４を備えたパネル型表示装置１の適用例を示したが、例えば液晶ディスプレイパネルやエレクトリックルミネッセンスディスプレイパネル等の適宜のディスプレイパネルを備えたパネル型表示装置にも適用されることは勿論である。パネル型表示装置１においては、モニタ本体２が、表示パネル体４に対してホルダ部材５、前面パネル６、ブラケット部材８或いはカバー部材９等を組み合わせて構成したが、例えば表示パネル体４を一体型の筐体内に収納して構成してもよい。かかる表示装置においては、筐体に対してスピーカボックス３が着脱される。
【００８７】
【発明の効果】
以上詳細に説明したように本発明にかかる表示装置によれば成形条件が緩和され高精度で効率よくかつコスト低減を図って成形される第１の半割筐体と第２の半割筐体とをジョイント部材を介して組み合わせて筐体を構成するとともに、第１の半割筐体及び第２の半割筐体とジョイント部材との突合せ部位が表面側に設けられた端子嵌合凹部に嵌合される接続端子部材によって目隠しするように構成したことから、外観意匠も損なわれることが無く、表示パネル体とスピーカボックスも簡易な構造によって行われるようになる。また、パネル型表示装置によれば、第１の半割筐体と第２の半割筐体及びジョイント部材とを透明樹脂によって成形する場合においても、ウェルドラインの発生が低減され効率的なフローティング表示を行うことが可能である。
【図面の簡単な説明】
【図１】実施の形態として示すパネル型表示装置の斜視図である。
【図２】パネル型表示装置の分解斜視図である。
【図３】モニタ本体に対するスピーカボックスの着脱構造を説明する分解斜視図である。
【図４】モニタ本体とスピーカボックスの組み合せ部位を説明する要部背面図である。
【図５】モニタ本体に設けられたスピーカ接続端子部位における接続端子部材の引き回し構造を説明する要部背面図である。
【図６】モニタ本体とスピーカボックスとを組み合せた状態の端子接続部位の要部斜視図である。
【図７】上部ブラケット部材と下部ブラケット部材とをジョイント部材を介して組み合わせた構造を説明する要部正面図である。
【図８】下部ブラケット部材とジョイント部材の組合せ部位における接続端子部材の引き回し構造を説明する要部斜視図である。
【図９】接続端子部材を組み合わせたジョイント部材の正面図である。
【図１０】同ジョイント部材の平面図である。
【図１１】ブラケット部材に設けた光学表示部の構成を説明する要部正面図である。
【図１２】光学表示部の要部水平断面図である。
【図１３】光学表示部の導光動作の説明図である。
【図１４】スピーカ筐体の背面図である。
【図１５】モニタ本体にスピーカボックスを組み合わせた状態の要部斜視図である。
【図１６】モニタ本体とスピーカボックスとの組み合せ構造を説明する要部平面図である。
【図１７】同要部斜視図である。
【図１８】モニタ本体に対するスピーカボックスの着脱操作の説明図であり、スピーカボックスをやや引き抜いた状態を示す。
【図１９】モニタ本体に対するスピーカボックスの着脱操作の説明図であり、モニタ本体からスピーカボックスを取り外した状態を示す。
【符号の説明】
１  パネル型表示装置、２  モニタ本体、３  スピーカボックス、４  表示パネル体、５  ホルダ部材、６  前面パネル、７  背面カバー部材、８  ブラケット部材、９  カバー部材、１０  シールドケース、１１  前面ガラス、１２  ジョイント部材、１３  接続端子受け部、１４  外装部、１５  外周フランジ部、１６  受けフランジ部、１９  発光表示部、２０  発光ダイオード、２１  目隠し枠部、２２  透明領域、２５  結合受け部、２６  位置決め凸部、２７  嵌合空間部、３０  嵌合凹部、３２  第２のカバー部材、３９  第１端子部材、４０第２端子部材、５０  表示部、５１  光点部、５３  入射部、５４  出射部、５５  反射部、５６  遮光部材、６０  スピーカ筐体、６８  接続端子部、６９結合部、７２  端子部材、７４  位置決め凹部、７６  結合部材
【図１】
2004361665.tif 000003
【図２】
2004361665.tif 000004
【図３】
2004361665.tif 000005
【図４】
2004361665.tif 000006
【図５】
2004361665.tif 000007
【図６】
2004361665.tif 000008
【図７】
2004361665.tif 000009
【図８】
2004361665.tif 000010
【図９】
2004361665.tif 000011
【図１０】
2004361665.tif 000012
【図１１】
2004361665.tif 000013
【図１２】
2004361665.tif 000014
【図１３】
2004361665.tif 000015
【図１４】
2004361665.tif 000016
【図１５】
2004361665.tif 000017
【図１６】
2004361665.tif 000018
【図１７】
2004361665.tif 000019
【図１８】
2004361665.tif 000020
【図１９】
2004361665.tif 000021